(57)【要約】  【課題】  汚れなどの影響を受けることなく正確に接触位置を検出できるタッチパネル装置を提供する。  【解決手段】  基板に汚れがあってその部分で物体が接触していなくても弾性表面波が閾値ＴＨより大きく下回って減衰することがある。この場合に、全てのサンプリング点において共通の閾値ＴＨにて２値化した場合、汚れている部分で誤検出が発生する。各サンプリング点毎に異なる閾値を設定して、各サンプリング点毎に異なる閾値にて２値化処理を行う。装置起動時に各サンプリング点における受信信号レベルを検出し、その半分のレベルを各サンプリング点での閾値と設定しておく。汚れがある２つのサンプリング点（物体が接触していない場合の受信信号レベルＶk ，Ｖk+1 ）での閾値がＶk ／２，Ｖk+1 ／２となるので、汚れに伴う誤検出を防止できる。【選択図】        図１３
2005129083.tif 000002
【特許請求の範囲】
【請求項１】
弾性表面波を励振する励振手段、及び、弾性表面波を受信する受信手段を基板上に配置しており、前記基板上を前記励振手段と前記受信手段との間で弾性表面波を伝搬させ、前記受信手段での受信信号を所定の閾値にて２値化し、その２値化結果に基づいて、前記基板に接触された物体の位置を検出するタッチパネル装置において、前記受信手段での受信信号において複数のサンプリング点を求め、該複数のサンプリング点夫々で前記２値化における前記閾値を設定するようにしたことを特徴とするタッチパネル装置。
【請求項２】
前記受信手段での受信信号を所定の閾値にて２値化して得られる２値化信号にあって、該２値化信号が変化する時間を計測して前記物体の位置を検出するようにしたことを特徴とする請求項１記載のタッチパネル装置。
【請求項３】
前記受信手段での受信信号を所定の閾値にて２値化して得られる２値化信号にあって、立ち上がりから立ち下がりに変化する第１タイミングに基づいて前記物体の位置を検出し、前記第１タイミング及び立ち下がりから立ち上がりに変化する第２タイミングに基づいて前記物体の幅を検出するようにしたことを特徴とする請求項１または２記載のタッチパネル装置。
【発明の詳細な説明】
【技術分野】
【０００１】
本発明は、指，ペンなどの物体が接触したことを検出するタッチパネル装置に関し、特に、弾性表面波（ＳＡＷ：Surface Acoustic Wave)の減衰，遮断を検知してその接触位置を検出するタッチパネル装置に関する。
【背景技術】
【０００２】
主としてパーソナルコンピュータ等のコンピュータシステムの普及に伴って、コンピュータシステムにより情報が表示される表示装置の表示画面上を指またはペンにより指示することにより、新たな情報を入力したり、コンピュータシステムに対して種々の指示を与えたりする装置が利用されている。パーソナルコンピュータ等の表示装置の表示画面に表示された情報に対してタッチ方式にて入力操作を行う場合には、その表示画面上での接触位置（指示位置）を高精度に検出する必要がある。
【０００３】
指，ペンなどの物体の接触位置を検出するタッチパネル装置としては、抵抗膜を用いた装置と超音波を用いた装置とが良く知られている。前者の抵抗膜を用いた装置では、抵抗膜に物体が接触することによって生じるその抵抗膜の抵抗値の変化を検知する。これは、消費電力が少なくて良いが、応答時間，検出性能，耐久性の点で問題がある。
【０００４】
これに対して、超音波を用いた装置では、例えば非圧電基板に弾性表面波を伝搬させて、その非圧電基板に指，ペンなどの物体が接触することによって生じる弾性表面波の減衰を検知して、物体による接触位置を検出するものである。
【０００５】
図１４は、このような弾性表面波を用いたタッチパネル装置の構成を示す図である。矩形状のパネル５１の左上隅部には、第１弾性表面波発振器５２ａ及び第２弾性表面波発振器５２ｂが設けられ、その左下隅部には第１弾性表面波受信器５３ａが設けられ、その右上隅部には第２弾性表面波受信器５３ｂが設けられている。また、パネル５１の４辺には、等ピッチで反射面が形成されている反射器５４ａ，５４ｂ，５４ｃ，５４ｄが夫々上辺，下辺，左辺，右辺に設けられている。
【０００６】
そして、第１弾性表面波発振器５２ａから励振された弾性表面波は、反射器５４ａの反射面で反射されて、縦方向（Ｙ軸方向）にパネル５１上を走査伝搬し、更に反射器５４ｂの反射面で反射された後、第１弾性表面波受信器５３ａに受信される。また、第２弾性表面波発振器５２ｂから励振された弾性表面波は、反射器５４ｃの反射面で反射されて、横方向（Ｘ軸方向）にパネル５１上を走査伝搬し、更に反射器５４ｄの反射面で反射された後、第２弾性表面波受信器５３ｂに受信される。図１５は、このような弾性表面波の伝搬の様子を示す。
【０００７】
この例では、弾性表面波が２回反射した後に各受信器に入射するので、各弾性表面波はｔi ＝２Ｄ／Ｖs （Ｄ：反射面の形成ピッチ、Ｖs ：弾性表面波の伝搬速度）間隔にて各受信器に到達する。図１６は、この際の各受信器における時系列受信信号を示す。パネル５１上に物体が接触している場合には、その位置に応じた受信信号のレベルが減衰するので、このような受信信号を解析することにより、物体の接触の有無及びその接触位置を検出できる。
【０００８】
時間的な分解能を高めるため、つまり、短時間での検出を可能とするためには、弾性表面波の伝搬速度を速くして図１６のｔR を短くする手法が考えられ、空間的な分解能を高めるためには、反射面の形成ピッチＤを小さくする手法が考えられる。高精細に接触位置を検出するためには、これらの時間的な分解能及び空間的な分解能の両方を総合的に向上させる必要がある。
【０００９】
図１７は、第１，第２弾性表面波発振器５２ａ，５２ｂの構成例を示す。パネル５１上に作成したくさび形の圧電体５５に電極５６を介して電圧を印加することによって、弾性表面波を励振する。また、反射器５４ａ，５４ｂ，５４ｃ，５４ｄは、一般的に切削加工にて作成されているため、その反射面を微小ピッチにて加工することは容易でない。従って、時間的な分解能及び空間的な分解能を向上させて高精細に接触位置を検出することは困難である。
【００１０】
このようなタッチパネル装置に対して、反射器が不要であり、トランスデューサとして、フォトリソグラフィ技術を用いて一括形成が可能なＩＤＴ（Inter Digital Transducer：櫛形電極）を用いるタッチパネル装置の研究開発を、本発明者等は進めている。このタッチパネル装置では、弾性表面波を励振する励振素子及び伝搬された弾性表面波を受信する受信素子として、ＩＤＴ及び圧電薄膜にて構成される素子を使用する。
【００１１】
図１８は、ＩＤＴを用いるこのようなタッチパネル装置の構成を示す図である。図１８において、６１は矩形状の非圧電基板であり、非圧電基板６１のＸ方向，Ｙ方向夫々の一端部には、入力ＩＤＴ及び圧電薄膜で構成されており、弾性表面波を励振する複数の励振素子６２が、夫々を複数のトラック夫々に対応させて、一列状に配列して形成されている。また、非圧電基板６１のＸ方向，Ｙ方向夫々の他端部には、励振素子６２に対向させた態様で、出力ＩＤＴ及び圧電薄膜で構成されており、弾性表面波を受信する複数の受信素子６３が一列状に配列して形成されている。
【００１２】
図１８に示すタッチパネル装置（以下、離散ＩＤＴタイプのタッチパネル装置という）では、各励振素子６２にバースト波を印加して弾性表面波を励振させて、非圧電基板６１を伝搬させ、伝搬した弾性表面波を受信素子６３で受信させる。そして、非圧電基板６１上の弾性表面波の伝搬路に物体が接触した場合には、弾性表面波は減衰する。よって、受信素子６３の受信信号のレベル減衰の有無を検知することによって、物体の接触の有無及びその接触位置を検出することが可能である。
【００１３】
また、本発明者等は、基板の斜め方向（対角方向）に弾性表面波を伝搬させるように励振素子，受信素子を配置するようにしたタッチパネル装置を提案している。図１９は、このようなタッチパネル装置（以下、斜め連続ＩＤＴタイプのタッチパネル装置という）におけるＩＤＴの構成を示す図である。矩形状をなす基板７１の１つの周縁部に励振素子７２が設けられている。この励振素子７２は、対向する電極基部７４，７４と各電極基部７４，７４から交互に連なる複数の櫛形電極指７５とを持ったＩＤＴ７６を有する。また、これに隣合った基板７１の周縁部に配設された受信素子７３も、励振素子７２と同様の構成のＩＤＴ７６を有している。各ＩＤＴ７６にあっては、電極基部７４，７４の対向方向から傾いた方向に、言い換えると電極基部７４，７４の表面に垂直な方向から傾いた態様にて、各櫛形電極指７５が電極基部７４から延びている。このようなタッチパネル装置では、開口を少しずつずらせた構成をなしているので、物体が接触された位置を連続的に（アナログ的に）検出することが可能となる。
【特許文献１】特開平６−４３０９９５号公報
【発明の開示】
【発明が解決しようとする課題】
【００１４】
図１８に示す離散ＩＤＴタイプのタッチパネル装置では、空間的な分解能はＩＤＴの設置間隔にて決定されるが、容易でなく限界がある。即ち、残りの時間的な分解能を高めることができれば、高精細な接触位置の検出を実現できる。一方、図１９に示す斜め連続ＩＤＴタイプのタッチパネル装置では、ＩＤＴが連続した構成であるため、空間的な分解能の制約がない。よって、この例でも、時間的な分解能を高めることにより、高精細な接触位置の検出を実現できる。そこで、本発明者等は、時間的な分解能を高める手法についての研究を続けている。
【００１５】
本発明は斯かる事情に鑑みてなされたものであり、汚れなどの影響を受けることなく正確に接触位置を検出できるタッチパネル装置を提供することを目的とする。
【課題を解決するための手段】
【００１６】
本発明に係るタッチパネル装置は、弾性表面波を励振する励振手段、及び、弾性表面波を受信する受信手段を基板上に配置しており、前記基板上を前記励振手段と前記受信手段との間で弾性表面波を伝搬させ、前記受信手段での受信信号を所定の閾値にて２値化し、その２値化結果に基づいて、前記基板に接触された物体の位置を検出するタッチパネル装置において、前記受信手段での受信信号において複数のサンプリング点を求め、該複数のサンプリング点夫々で前記２値化における前記閾値を設定するようにしたことを特徴とする。
【００１７】
本発明のタッチパネル装置にあっては、受信手段での受信信号を所定の閾値にて２値化し、その２値化結果から物体の接触位置を検出するが、複数のサンプリング点毎に、２値化処理での閾値を設定する。例えば、基板自体が汚れていて、物体がなくても弾性表面波が減衰するような部分では、他の部分よりも低い閾値を設定する。従って、汚れに伴う誤検出を防止できて、正確な検出処理を行える。
【００１８】
本発明に係るタッチパネル装置は、前記受信手段での受信信号を所定の閾値にて２値化して得られる２値化信号にあって、該２値化信号が変化する時間を計測して前記物体の位置を検出するようにしたことを特徴とする。
【００１９】
本発明のタッチパネル装置にあっては、閾値による受信信号の２値化結果が変化する時間を計測して物体の接触位置を求める。よって、簡便に物体の接触位置を検出できる。
【００２０】
本発明に係るタッチパネル装置は、前記受信手段での受信信号を所定の閾値にて２値化して得られる２値化信号にあって、立ち上がりから立ち下がりに変化する第１タイミングに基づいて前記物体の位置を検出し、前記第１タイミング及び立ち下がりから立ち上がりに変化する第２タイミングに基づいて前記物体の幅を検出するようにしたことを特徴とする。
【００２１】
本発明のタッチパネル装置にあっては、閾値による受信信号の２値化結果において、立ち上がりから立ち下がりに変化する第１タイミングと、立ち下がりから立ち上がりに変化する第２タイミングとを検出し、第１タイミングの時間に弾性表面波の速度を乗算して接触位置を求め、第１，第２タイミングの時間差に弾性表面波の速度を乗算して物体の幅を求める。よって、簡便に物体の接触位置及び幅を検出できる。
【発明の効果】
【００２２】
本発明のタッチパネル装置では、各サンプリング点毎に２値化処理での閾値を設定するようにしたので、汚れなどの影響を受けることなく正確に接触位置を検出することができる。
【００２３】
本発明のタッチパネル装置では、閾値による受信信号の２値化結果から、簡便に物体の接触位置及び幅を検出することができる。
【発明を実施するための最良の形態】
【００２４】
以下、本発明をその実施の形態を示す図面を参照して具体的に説明する。
（第１実施の形態）
図１は、第１実施の形態に係るタッチパネル装置（離散ＩＤＴタイプのタッチパネル装置）の基本構成を示す模式図である。１は弾性表面波の伝搬が可能な矩形状の基板である。基板１の一端部には弾性表面波を励振する複数の励振素子２が配列して形成されている。また、基板１の他端部には、各励振素子２に対向させた態様で、弾性表面波を受信する複数の受信素子３が配列して形成されている。
【００２５】
図２は、基板１及び励振素子２の構成の一例を示す図である。この例では圧電体からなる基板１上に、励振用の電極としての対向する電極基部４，４にＮ個の櫛形電極指５を交互に接続させてなるＩＤＴ６を形成して、励振素子２が構成されている。各励振素子２は、入力周波数に対して所定の中心周波数と所定の帯域幅とで規定される通過帯域周波数のみの弾性表面波を励振する。即ち、ＩＤＴ６に所定周波数のバースト波を印加することにより、圧電作用によって表面付近が歪み、その所定周波数と同相で加えられた弾性表面波が最も強力に励振される。その所定周波数で励振された弾性表面波は各櫛形電極指５を通過する毎に加算され、利得の最大値は１つの櫛形電極指５で励起された弾性表面波のＮ倍となる。
【００２６】
図３は、基板１及び励振素子２の構成の他の例を示す図である。この例では例えばガラス基板などの非圧電基板からなる基板１上に、図２の例と同様のＩＤＴ６を形成し、形成したＩＤＴ６の上にＺｎＯなどの圧電薄膜７を成膜している。この例でも、図２の例と全く同様に弾性表面波が励振される。
【００２７】
また、各受信素子３は、各励振素子２と同様に、受信用の電極としての対向する電極基部４，４に複数の櫛形電極指を交互に接続させてなるＩＤＴを有しており、各励振素子２と同じく規定される通過帯域周波数のみの弾性表面波を受信する。
【００２８】
各電極基部４は、駆動検出回路１０に接続されている。駆動検出回路１０は、ＭＰＵ１１，周波数制御器１２，発振器１３，カウンタ１４，Ａ／Ｄ変換器１５，閾値格納部１６，比較器１７を有する。ＭＰＵ１１は、その他の部材の動作を制御すると共に、比較器１７による比較結果に基づく物体の接触位置及び幅の検出、２値化処理時の閾値の設定、励振周波数の設定、励振タイミングの設定などの処理を行う。また、ＭＰＵ１１は、タイマ１１ａ，演算部１１ｂを内蔵する。
【００２９】
周波数制御器１２は、ＭＰＵ１１からの指示に従って励振周波数を制御する。発振器１３は、入力された電圧で一義的に決まる周波数で発振する。発振されたバースト波は電極基部４に印加され、各励振素子２から少しずつタイミングをずらせて弾性表面波が励振される。カウンタ１４は、発振器１３での発振回数、即ちバースト波の波数を計数し、その計数結果をＭＰＵ１１へ送る。
【００３０】
受信用の電極基部４に接続されているＡ／Ｄ変換器１５は、各受信素子３での時系列の受信信号をサンプリングしてサンプリング値を得、そのサンプリング値を比較器１７へ出力する。比較器１７は、閾値格納部１６に格納されている閾値とサンプリング値とを比較して、その比較結果（２値化結果）をＭＰＵ１１へ出力する。
【００３１】
第１実施の形態にあって、時間的な分解能の向上を図るために、受信素子３での受信信号の利得と励振素子２のＩＤＴ６の櫛形電極指５の数（Ｎ）とに注目して、印加するバースト波の波数の最適値を決定する。櫛形電極指５の数（Ｎ）と同数のバースト波を印加することによって、受信信号の最大の利得が得られ、それ以上の回数のバースト波を印加した場合には、受信信号の利得は飽和して一定となる。従って、印加するバースト波の波数を櫛形電極指５の数（Ｎ）と同じＮ個とする、言い換えると、発振器１３にてＮ回のバースト波を印加することにより、効率よく検出時間を短縮できて時間的な分解能の向上を図れ、高精細な接触位置の検出を実現できる。よって、第１実施の形態では、カウンタ１４にて発振器１３による発振回数を計数し、その計数結果がＮ回に到達した時点で、ＭＰＵ１１が発振器１３での発振処理を停止するように制御する。この結果、最大の利得が得られると共に、時間的な分解能を高くできる。
【００３２】
図４は、第１実施の形態に係るタッチパネル装置（離散ＩＤＴタイプのタッチパネル装置）の他の構成例を示す図である。図４において、図１と同様な部分には同一番号を付して説明を省略する。図１に示す励振素子２／受信素子３の複数対の１組に加えて、基板１の残りの両端部に、対向し合う態様で、更にもう１組の励振素子２及び受信素子３の複数対が配列して形成されている。このような構成例では、２組の励振素子２／受信素子３の複数対を直交させた態様で配設させているので、物体の２次元の接触位置を検出することができる。
【００３３】
（第２実施の形態）
図５は、第２実施の形態に係るタッチパネル装置（斜め連続ＩＤＴタイプのタッチパネル装置）の基本構成を示す模式図である。３１は弾性表面波の伝搬が可能な図１の基板１と同様の矩形状の基板である。基板３１の一方の対向する端部（上辺及び下辺）には弾性表面波を励振する励振素子３２が設けられ、他方の対向する端部（左辺及び右辺）には弾性表面波を受信する受信素子３３が設けられている。
【００３４】
各励振素子３２及び各受信素子３３は同様の構成を有するＩＤＴ３６を有している。中央に１つの共通電極としての電極基部３４を設け、これを挾む位置に２つの信号電極としての電極基部３４，３４を設けてあり、２組の対向する電極基部３４，３４（信号電極と共通電極）間で、夫々それらの対向方向から傾けた態様で複数の櫛形電極指３５を交互に連ねて、各ＩＤＴ３６は構成されている。信号電極としての各電極基部３４，３４にバース波を印加することにより夫々の開口方向に弾性表面波を励振し、また、夫々の開口方向から弾性表面波を受信する。１つの励振素子３２にて２方向の弾性表面波を励振し、１つの受信素子３３にて２方向からの弾性表面波を受信する。なお、各ＩＤＴ３６の信号電極は、図１の駆動検出部１０と同様な構成の駆動検出部（図示せず）に接続されている。
【００３５】
次に、このような構成の第２実施の形態における印加すべきバースト波の波数の最適値について、対向するＩＤＴを示す図６を参照して説明する。図６における菱形領域Ｂに含まれる櫛形電極指３５の数と同数のバースト波を印加することにより、利得の最大値を得ることができる。ここで、対向する電極基部３４，３４の間隔をＷ、櫛形電極指３５の傾き角度（チルト角）をθ、櫛形電極指３５の形成ピッチをΔｄとした場合、この菱形領域Ｂに含まれる櫛形電極指３５の数Ｎは、下記（１）式で与えられる。
Ｎ＝２Ｗ／（Δｄ・ｃｏｓθ）−１    …（１）
【００３６】
菱形領域Ｂの頂点に位置する櫛形電極指３５はほとんど利得に影響を及ぼさないが、この櫛形電極指３５を含めた場合、数Ｎは下記（２）式のようになる。
Ｎ＝２Ｗ／（Δｄ・ｃｏｓθ）＋１    …（２）
【００３７】
例えば、Ｗ＝１ｍｍ，Δｄ＝０．２５ｍｍ，θ＝３０°とした場合、上記（１），（２）式によると、Ｎ＝８または１０となる。
【００３８】
図７は、バースト波を励振素子２，３２に印加した際の受信素子３，３３での受信信号の大きさを示すグラフである。同相の弾性表面波の重ね合せは、印加回数が櫛形電極指５，３５の数に一致したＮ回になった時点で飽和する。このような受信信号の大きさの変化を例えば装置起動時に取得し、受信信号の大きさが最大になるように、バースト波の波数（印加回数）を決定するようにしても良い。
【００３９】
このようにしてバースト波の波数を決定するようにすれば、使用環境またはユーザの使用条件に合った波数（印加回数）を決定することが可能となる。受信信号の大きさを８ビット（２５６段階）にて離散化する場合、２０段階の受信精度があれば十分に接触位置を検出できるということも報告されており（特開平１０−１３３８１８号）、（２０／２５６）×（受信信号の最大レベル）が得られるような回数をバースト波の波数（印加回数）に決定しても良い。このように波数（印加回数）を制御することにより、省電力化も図ることができる。
【００４０】
図８は、使用するＩＤＴ６，３６の周波数特性を示すグラフである。ＩＤＴ６，３６は、中心周波数ｆ0 においてピークの利得を有しており、その中心周波数ｆ0 からずれると、急激に利得が低下する。よって、周波数制御器１２によって最適な周波数に制御してバースト波を印加することにより、高い利得での受信が可能となる。具体的には、装置起動時または装置作動中の所定時間間隔にて、現在の駆動周波数ｆ1 の近傍ｆ1 ±Δｆの範囲で周波数を変動させながらＩＤＴ６，３６を励振させ、受信信号が最大レベルとなる周波数ｆ2 を決定し、その決定した周波数ｆ2 をそれ以降の駆動周波数とする。
【００４１】
図９は、励振素子２，３２で励振された弾性表面波が受信素子３，３３で反射して再び励振素子２，３２に入射する状態を示す図である。励振素子２，３２から励振された弾性表面波の受信に要する時間をＴとした場合、反射波の受信に要する時間もＴとなる。従って、バースト波とバースト波との時間間隔をこのＴ以上に設定することにより、反射波の影響を低減することができる。そこで、ＭＰＵ１１により、バースト波とバースト波との印加時間間隔がＴ以上になるように制御する。
【００４２】
図１の離散ＩＤＴタイプのタッチパネル装置の場合に、励振素子２のＩＤＴ６と受信素子３のＩＤＴ６との間を弾性表面波が伝搬する時間がＴとなるので、例えば両ＩＤＴ６，６の間隔が３ｃｍ、弾性表面波の伝搬速度が３０００ｍ／秒であるとき、Ｔは１０マイクロ秒となる。図５の斜め連続ＩＤＴタイプのタッチパネル装置の場合に、基板３１の対角線を弾性表面波が伝搬する時間がＴとなるので、例えば対角線が４インチ、弾性表面波の伝搬速度が３０００ｍ／秒であるとき、Ｔは３３マイクロ秒となる。
【００４３】
次に、受信素子３，３３の受信信号に対する２値化処理、及び、その２値化結果に基づく接触位置及び接触幅の検出処理について説明する。
【００４４】
図１０は、受信素子３，３３での受信信号の時系列変化を示す図、図１１は、このような受信信号をＡ／Ｄ変換器１５にてサンプリングした例を示す図である。各サンプリング点における受信信号のレベルと、閾値格納部１６に格納されている所定の閾値ＴＨとが、比較器１７にて比較され、受信信号が２値化される。その２値化結果は、ＭＰＵ１１に入力される。
【００４５】
図１２は、この２値化結果を示す図である。ＭＰＵ１１は内部のタイマ１１ａにて、検出開始の時刻Ｔ0 と立ち上がりから立ち下がりに移行する時刻Ｔ1 と立ち下がりから立ち上がりに再び移行する時刻Ｔ2 とを計時する。そして、図１の離散ＩＤＴタイプのタッチパネル装置の場合に、検出開始から立ち下がりに移行するまでの時間ｔ1 （＝Ｔ1 −Ｔ0 ）と立ち下がりから再度の立ち上がりに移行するまでの時間ｔ2 （＝Ｔ2 −Ｔ1 ）とを夫々求め、演算部１１ｂにて、弾性表面波の伝搬速度をＶs として、Ｖs ｔ1 にて物体の接触位置を算出すると共に、Ｖs ｔ2 にて物体の接触幅を算出する。
【００４６】
次に、各サンプリング点毎に独立的に閾値を設定する例について説明する。図１３は、基板１，３１に汚れがあってその部分で物体が接触していなくても弾性表面波が閾値ＴＨより大きく下回って減衰するような場合の受信信号のサンプリング結果を示す図である。このような場合に、全てのサンプリング点において共通の閾値ＴＨにて２値化した場合、汚れている部分では物体が接触していないにもかかわらず、物体が接触しているように誤検出されて、汚れと物体との区別が行えない。
【００４７】
そこで、各サンプリング点毎に異なる閾値を設定して、夫々の閾値を閾値格納部１６に格納しておき、各サンプリング点毎に異なる閾値にて２値化処理を行う。例えば、装置起動時に各サンプリング点における受信信号レベルを検出し、その半分のレベルを各サンプリング点での閾値と設定して閾値格納部１６に格納しておく。従って、図１３に示すように汚れがある２つのサンプリング点（物体が接触していない場合の受信信号レベルＶk ，Ｖk+1 ）での閾値がＶk ／２，Ｖk+1 ／２となるので、汚れに伴う誤検出を防止することができる。
【図面の簡単な説明】
【００４８】
【図１】第１実施の形態に係るタッチパネル装置の基本構成を示す模式図である。
【図２】基板及び励振素子の構成の一例を示す図である。
【図３】基板及び励振素子の構成の他の例を示す図である。
【図４】第１実施の形態に係るタッチパネル装置の他の構成例を示す図である。
【図５】第２実施の形態に係るタッチパネル装置の基本構成を示す模式図である。
【図６】第２実施の形態において対向するＩＤＴを示す図である。
【図７】受信素子での受信信号の大きさを示すグラフである。
【図８】ＩＤＴの周波数特性を示すグラフである。
【図９】励振された弾性表面波の反射波の様子を示す図である。
【図１０】受信信号の時系列変化を示す図である。
【図１１】受信信号をサンプリングした例を示す図である。
【図１２】受信信号の２値化結果を示す図である。
【図１３】基板に汚れがある場合の受信信号のサンプリング結果を示す図である。
【図１４】タッチパネル装置の構成を示す図である。
【図１５】弾性表面波の伝搬の様子を示す図である。
【図１６】弾性表面波受信器における時系列受信信号を示す図である。
【図１７】弾性表面波発振器の構成例を示す図である。
【図１８】タッチパネル装置の構成を示す図である。
【図１９】タッチパネル装置におけるＩＤＴの構成を示す図である。
【符号の説明】
【００４９】
１，３１  基板
２，３２  励振素子
３，３３  受信素子
４，３４  電極基部
５，３５  櫛形電極指
６，３６  ＩＤＴ
１０  駆動検出回路
１１  ＭＰＵ
１２  周波数制御器
１３  発振器
１４  カウンタ
１５  Ａ／Ｄ変換器
１６  閾値格納部
１７  比較器
【図１】
2005129083.tif 000003
【図２】
2005129083.tif 000004
【図３】
2005129083.tif 000005
【図４】
2005129083.tif 000006
【図５】
2005129083.tif 000007
【図６】
2005129083.tif 000008
【図７】
2005129083.tif 000009
【図８】
2005129083.tif 000010
【図９】
2005129083.tif 000011
【図１０】
2005129083.tif 000012
【図１１】
2005129083.tif 000013
【図１２】
2005129083.tif 000014
【図１３】
2005129083.tif 000015
【図１４】
2005129083.tif 000016
【図１５】
2005129083.tif 000017
【図１６】
2005129083.tif 000018
【図１７】
2005129083.tif 000019
【図１８】
2005129083.tif 000020
【図１９】
2005129083.tif 000021